(57)【要約】【課題】  室内に向けてイオンをより均一に吹出すことのできる空気清浄機を提供する。【解決手段】  空気清浄機の内部には、前面パネルが位置する側の前方空間と背面側の後方空間とに仕切る仕切り壁７が位置する。仕切り壁７の後方には、シロッコファン１８と、そのシロッコファン１８を覆う背面側ファンカバー１０が仕切り壁７に取付けられている。背面側ファンカバー１０と仕切り壁７とによって送風通路１３が構成される。送風通路１３は、本体ケーシングの上部の第１吹出口１４Ａおよび第２吹出し口１４Ｂに連通している。送風通路内における仕切り壁の部分にはイオン発生器２２が設けられ、その直上に第２吹出し口１４Ｂが配設されている。【選択図】        図７
2007021100.tif 000002
【特許請求の範囲】
【請求項１】
イオン発生器を備えた空気清浄機であって、
所定の吹出し口からイオン濃度の相対的に低い空気をエアカーテンとして吹出すとともに、前記エアーカーテンの一方側にイオン濃度の相対的に高い空気を吹出すようにした、空気清浄機。
【請求項２】
前記吹出し口は、
イオン濃度の相対的に低い空気を吹出す第１吹出し口と、
イオン濃度の相対的に高い空気を吹出す第２吹出し口と
を備え、
前記第１吹出し口は、前記イオン濃度の相対的に低い空気が、前記イオン濃度の相対的に高い空気の両側方と後方を流れるように前記第２吹出し口を取囲むように形成された、請求項２記載の空気清浄機。
【請求項３】
回転軸の回りの回転に伴う遠心力によって空気を送る送風部と、
前記送風部を取囲むように配設され、前記送風部によって送り出される空気を前記第１吹出し口および前記第２吹出し口にまで導く送風通路と
を備え、
前記送風通路は、
前記送風部の回転軸と略平行に延在する側面部と、
前記側面部を前記送風部の前記回転軸方向の一端側と他端側とからそれぞれ挟み込むように配設された対向する１対の端面部と
を含み、
前記イオン発生器は１対の前記端面部のうちの一方の端面部に配設され、
前記第２吹出し口は前記一方の端面部が位置する側に配設され、前記第１吹出し口は他方の端面部が位置する側に配設された、請求項２記載の空気清浄機。
【請求項４】
前記吹出し口から吹出す空気の流れを変えるためのルーバを備えた、請求項１〜３のいずれかに記載の空気清浄機。
【発明の詳細な説明】
【技術分野】
【０００１】
本発明は空気清浄機に関し、特に、イオン発生器を備えた空気清浄機に関するものである。
【背景技術】
【０００２】
室内の空気は、塵埃、煙草の煙、呼吸に伴って排出される二酸化炭素等のさまざまな物質で汚染されている。近年の住宅では気密性が高められて、このような汚染物質が室内に溜まりやすく、積極的に室内の空気の換気を行なう必要がある。
【０００３】
ところが、大気汚染の比較的ひどい地域にある家屋やオフィス等では、窓を開けて換気することはかえって室内に汚れた空気を取り込むことになって好ましくない。また、大気汚染のひどくない地域の家屋等でも、季節によっては花粉を室内に取り込むことになって、この場合には、花粉症の人にとって好ましくない。
【０００４】
そこで、窓を開けずに室内の空気を清浄化するために、空気清浄機が使用される。室内の空気を浄化する手法としては、室内の空気を吸引してフィルターで塵埃等を捕集し、活性炭等で汚染物質を吸着する手法が一般的である。そのため、空気清浄機には次のような基本的な構造が採用される。
【０００５】
すなわち、空気清浄機の本体内に送風機を有する送風通路が設けられ、その送風通路の入口に空気吸込み口が配設される一方、送風通路の出口に吹出し口が配設される。送風通路の途中には、集塵フィルタと脱臭フィルタとがそれぞれ配設される。そして、さらに、送風通路の途中にイオン発生器が配設され、そのイオン発生器で発生したイオンが清浄な空気とともに室内に放出される。室内に浮遊するカビ菌等の汚染物質は、放出されたイオンによって取囲まれて不活性化される。こうして、空気清浄機によって室内の空気が浄化されることになる。このような空気清浄機は、たとえば特許文献１に提案されている。
【特許文献１】特開２０００−１２１１１１号公報
【発明の開示】
【発明が解決しようとする課題】
【０００６】
室内の空気を効果的に浄化するために、空気清浄機には、従来からイオンを効率よく発生させ、その発生したイオンを空気とともに室内により均一に吹出させることが求められている。
【０００７】
本発明は、その一環で提案されたものであり、その目的は、室内に向けてイオンをより均一に吹出すことのできる空気清浄機を提供することである。
【課題を解決するための手段】
【０００８】
本発明に係る空気清浄機は、イオン発生器を備えた空気清浄機であって、所定の吹出し口からイオン濃度の相対的に低い空気をエアカーテンとして吹出すとともに、そのエアーカーテンの一方側にイオン濃度の相対的に高い空気を吹出すようにしている。
【０００９】
この構成によれば、室内においてイオン濃度の相対的に高い空気を吹出す際に、部屋の壁との間にイオン濃度の相対的に低い空気をエアーカーテンとして吹出すことができ、イオン濃度の相対的に高い空気が直接壁に当たってイオンの効果が低減するのを抑制して、部屋の隅々にまでイオンをより均一に到達させることができる。
【００１０】
イオン濃度の相対的に低い空気をエアーカーテンとして吹出すために、吹出し口は、イオン濃度の相対的に低い空気を吹出す第１吹出し口と、イオン濃度の相対的に高い空気を吹出す第２吹出し口とを備え、第１吹出し口は、イオン濃度の相対的に低い空気がイオン濃度の相対的に高い空気の両側方と後方を流れるように、第２吹出し口を取囲むように形成されていることが好ましい。
【００１１】
より具体的に、イオン濃度の相対的に高い空気を第１吹出し口から吹出すためには、回転軸の回りの回転に伴う遠心力によって空気を送る送風部と、その送風部を取囲むように配設され、送風部によって送り出される空気を第１吹出し口および第２吹出し口にまで導く送風通路とを備え、その送風通路は、送風部の回転軸と略平行に延在する側面部と、側面部を送風部の回転軸方向の一端側と他端側とからそれぞれ挟み込むように配設された対向する１対の端面部とを含み、イオン発生器は１対の端面部のうちの一方の端面部に配設され、第２吹出し口は一方の端面部が位置する側に配設され、第１吹出し口は他方の端面部が位置する側に配設されていることが好ましい。
【００１２】
さらに、空気の流れをより正確に制御するには、吹出し口から吹出す空気の流れを変えるためのルーバを備えていることが好ましい。
【発明を実施するための最良の形態】
【００１３】
本発明の実施の形態に係る空気清浄機として、空気清浄機能を有する据え置き型の空気清浄機について説明する。
【００１４】
（全体構成）
図１〜図３に示すように、空気清浄機１は、本体ケーシング２と、前面パネル２４とを主に備えている。本体ケーシング２は、縦長の前面開口の箱状体からなり、その内部には空気清浄機１の主要部品が納められている。本体ケーシング２の下部には、脚部３が設けられている。この脚部３は、空気清浄機１を直立状態で床面等に載置するための部位である。また、本体ケーシング２の上面には、上面パネル部５が設けられており、この上面パネル部５には、各種操作ボタンや表示ランプ等が配設されている。また、本体ケーシング２の背面には、把手部４が設けられている。この把手部４は、空気清浄機１を持ち上げて搬送する際等の利便性を考慮して設けられたものである。
【００１５】
前面パネル２４は、その主面から後方に向かって立設して設けられた側部２６を有しており、本体ケーシング２の前面および側面の一部を覆うように本体ケーシング２に着脱自在に取付けられる。前面パネル２４は、装置の動作時において、後述するシロッコファンやモータ等にて発生する騒音が装置外部へと漏れ出さないようにするための遮音部材として取付けられるものであり、同時に装置の外観上の美観を確保するためのものでもある。
【００１６】
図２に示すように、本体ケーシング２の側面と前面パネル２４の側部２６との間には、隙間が設けられている。この隙間は、吸込口１２を構成する。吸込口１２は、空気清浄機１の外部の空気を空気清浄機１の内部へと導入するための開口部である。また、その吸込口１２の近傍には、埃センサ３０が設けられている。また、図２および図３に示すように、本体ケーシング２の上部には、第１吹出し口１４Ａと第２吹出し口１４Ｂとの２つの吹出し口１４が設けられている。この吹出し口１４は、空気清浄機１によって清浄化された空気を空気清浄機１の外部へ吹出すための開口部である。
【００１７】
次に、空気清浄機１の内部の構造について説明する。図４および図５に示すように、空気清浄機１の内部には、本体ケーシング２によって形成される空間を、前面パネル２４が位置する側の前方空間Ｓ１と背面側の後方空間Ｓ２とに仕切る仕切り壁７が位置する。仕切り壁７と前面パネル２４との間には、脱臭フィルタ、ホルムアルデヒド吸着フィルタおよび制菌／集塵フィルタの３つで構成される高機能フィルタ２８が配設されている。この高機能フィルタ２８は、本体ケーシング２の前面側に設けられた凹部６に配置され、前方空間Ｓ１を前後方向に２分割している。前方空間Ｓ１は、本体ケーシング２の側方において吸込口１２を介して空気清浄機１の外部と連通している。
【００１８】
一方、図４〜図６に示すように、仕切り壁７の後方には、シロッコファン１８が配置されている。シロッコファン１８は、その後方に配置されたモータ２０によって回転駆動される。仕切り壁７に設けられた連通孔８は、シロッコファン１８の吸い込み面と対面して設けられている。そのシロッコファン１８を覆うように、背面側ファンカバー１０が仕切り壁７に取付けられている。背面側ファンカバー１０と仕切り壁７とによって送風通路１３が構成される。送風通路１３は、本体ケーシング２の上部に設けられた吹出口１４に連通している。
【００１９】
送風通路１３内の仕切り壁７の所定位置には、正イオンおよび負イオンの少なくともいずれか一方のイオンを発生させるイオン発生器２２が設けられている。イオン発生器２２によって発生したイオンは、空気の流れに乗って空気清浄機１の外部へと放出される。
【００２０】
（空気の流れ）
次に、空気清浄機１における空気の流れについて説明する。まず、シロッコファン１８がモータ２０によって回転駆動することにより、本体ケーシング２の前方空間Ｓ１において負圧が生じ、図５に示すように、本体ケーシング２の側方に位置する吸込口１２を介して室内の空気が前方空間Ｓ１に取り込まれる。
【００２１】
前方空間Ｓ１に取り込まれた空気は、図４および図５に示すように、高機能フィルタ２８を通過する際に、脱臭処理、ホルムアルデヒドの吸着処理、集塵処理および制菌処理が施され、仕切り壁７に設けられた連通孔８を通過する。次に、連通孔８を通過した空気は、シロッコファン１８の周面から外方に向かって吹出される。こうして吹出された空気は、送風通路１３により吹出し口１４にまで導かれて、イオン発生器２２によって発生したイオンとともに室内に送り出されることになる。図４〜図６では、このような一連の空気の流れが矢印（白抜き）によって示されている。
【００２２】
上述した空気清浄機１では、吹出し口として第１吹出し口１４Ａと第２吹出し口１４Ｂとの２つの吹出し口１４が設けられている。その吹出し口においては、イオン発生器２２の位置との関係で、第２吹出し口１４Ｂからはイオン濃度の相対的に高い空気が吹出され、第１吹出し口１４Ａからはイオン濃度の相対的に低い空気が吹出される。
【００２３】
このとき、第１吹出し口１４Ａから吹出されるイオン濃度の低い空気は、第２吹出し口１４Ｂから吹出されるイオン濃度の高い空気の側方と後方を覆うような態様で吹出される。これにより、室内に吹出されたイオン濃度の高い空気が壁等に直ちに付着するのを抑制して、イオンをより均一に室内に放出することができる。このことについて、送風通路の構造、吹出し口の構造およびイオン発生器の構造をまじえてより詳しく説明する。
【００２４】
（送風通路）
送風通路１３は、図６および図７に示すように、仕切り壁７と背面側ファンカバー１０によって構成される。背面側ファンカバー１０は、端板部１０ａとその端板部１０ａから立設するように形成された側板部１０ｂ〜１０ｄとによって構成される。側板部１０ｂ〜１０ｄは、側面部として、背面側ファンカバー１０が仕切り壁７に取付けられた状態でシロッコファン１８の回転軸１８ａと略平行に延在する。端板部１０ａと仕切り壁７とは、１対の端面部として、側板部１０ｂ〜１０ｄをシロッコファン１８の回転軸１８ａ方向の一端側と他端側とからそれぞれ挟み込むように、回転軸１８ａと略直交する方向に延在する。
【００２５】
その側板部１０ｂ〜１０ｄは、第１側板部１０ｂ〜第３側板部１０ｄの３つの側板部からなる。第１側板部１０ｂは、シロッコファン１８の外周に沿ってシロッコファン１８を周方向から取囲むように略円弧状に形成されている。第２側板部１０ｃは、第１側板部１０ｂの周方向の一端側からほぼ接線方向に延在して吹出し口１４に繋がる。第３側板部１０ｄは第２側板部１０ｃと対向し、第１側板部１０ｂの周方向の他端側から吹出し口１４に向かって第２側板部１０ｃから遠ざかるように延在する。その第２側板部１０ｃには、接線方向に流れようとする風の成分を第３側板部１０ｄの側に向かう成分をもたせるように、第３側板部１０ｄの側に向かって傾斜した偏向部１１が設けられている。なお、略円弧状や接線方向とは、数学的な円弧状や接線方向を意図するものではなく、一見して円弧状または接線方向であることが認識できる程度の構造を意図するものである。
【００２６】
また、第２吹出し口１４Ｂの直下近傍の仕切り壁７の部分には、イオン発生器２２が取付けられている。このイオン発生器２２は、図４および図８に示すように、イオンを発生させるための表面電極２２ａ，２２ｂが下に向くように傾けられた状態で所定の押え具２３によって固定されている。その押え具２３には、この傾きに対応した傾斜部２３ｃと、表面電極２２ａ，２２ｂを露出する開口部２３ａ，２３ｂがそれぞれ設けられている。また、表面電極２２ａ，２２ｂは、送風通路１３内を流れる空気の流れと交差する方向に配列されている。
【００２７】
（吹出し口）
吹出し口１４は、図６および図７に示すように、シロッコファン１８の直上に配設され、第１吹出し口１４Ａと第２吹出し口１４Ｂとによって構成される。第１吹出し口１４Ａは背面側ファンカバー１０の端板部１０ａの側に配設され、第２吹出し口１４Ｂはイオン発生器２２が取付けられた仕切り壁７の側に配設されている。
【００２８】
特に、第１吹出し口１４Ａは、第２吹出し口１４Ｂの側方と後方（背面側）を取囲むように形成されている。また、吹出し口１４（第１吹出し口）のシロッコファン１８の回転軸１８ａと直交する方向の開口長さＷは、シロッコファン１８の直径Ｄよりも大きく設定されている。また、第１吹出し口１４Ａおよび第２吹出し口１４Ｂのそれぞれには、空気の向きを調整するためのルーバ１６Ａ，１６Ｂが設けられている。
【００２９】
（イオン発生器）
送風通路１３の途中に設けられるイオン発生器２２は、図９に示すように、ケース本体２２ｃとそのケース本体２２ｃにはめ込まれたイオン発生素子（図示せず）とによって構成される。ケース本体２２ｃの内部には、イオン発生素子を駆動するための駆動回路や昇圧コイル等が組み込まれている。イオン発生素子は、所定の誘電体を積層させた積層体として構成される。その積層体の表面には、たとえばメッシュ状の表面電極２２ａ，２２ｂが一方向に複数配列されている。一方、積層体の裏面には、板状の裏面電極（図示せず）が配設されている。
【００３０】
表面電極と裏面電極との間に交流電圧を印加することによって、空気中の酸素または水分が電離によりエネルギーを受けてイオン化し、Ｈ+（Ｈ2Ｏ）m（ｍは任意の自然数）とＯ2-（Ｈ2Ｏ）n（ｎは任意の自然数）を主体としたイオンが生成される。生成したイオンはシロッコファンで発生した風によって吹出し口から室内に放出される。放出されたこれらＨ+（Ｈ2Ｏ）mおよびＯ2-（Ｈ2Ｏ）nは、浮遊菌の表面に付着し、化学反応して活性種であるＨ2Ｏ2または（・ＯＨ）を生成する。Ｈ2Ｏ2または（・ＯＨ）は、極めて強力な活性を示すため、これらにより、空気中の浮遊細菌を取り囲んで不活化することができる。ここで、（・ＯＨ）は活性種の１種であり、ラジカルのＯＨを示している。
【００３１】
正のイオンと負のイオンは、浮遊細菌の細胞表面で式（１）〜式（３）に示すように化学反応を起こして、活性種である過酸化水素Ｈ2Ｏ2または水酸基ラジカル（・ＯＨ）が生成される。
Ｈ+（Ｈ2Ｏ）m＋Ｏ2-（Ｈ2Ｏ）n  →  ・ＯＨ＋１/２Ｏ2＋（ｍ＋ｎ）Ｈ2Ｏ  …  （１）
Ｈ+（Ｈ2Ｏ）m＋Ｈ+（Ｈ2Ｏ）m'＋Ｏ2-（Ｈ2Ｏ）n＋Ｏ2-（Ｈ2Ｏ）n'  →
２・ＯＨ＋Ｏ2＋（ｍ＋ｍ'＋ｎ＋ｎ'）Ｈ2Ｏ  …  （２）
Ｈ+（Ｈ2Ｏ）m＋Ｈ+（Ｈ2Ｏ）m'＋Ｏ2-（Ｈ2Ｏ）n＋Ｏ2-（Ｈ2Ｏ）n'  →
Ｈ2Ｏ2＋Ｏ2＋（ｍ＋ｍ'＋ｎ＋ｎ'）Ｈ2Ｏ  …  （３）
ここで、式（１）〜式（３）において、ｍ、ｍ'、ｎ、ｎ'は任意の自然数である。これにより、活性種の分解作用によって浮遊細菌が破壊される。したがって、効率的に空気中に浮遊する浮遊細菌が不活化されて、これを除去することができる。
【００３２】
こうして、正のイオンと負のイオンの放出によって、浮遊菌等が破壊され、効率的に空気中の浮遊菌を殺菌することができる。上述した空気清浄機では、以上のメカニズムによって、浮遊菌等の殺菌効果を得ることができる。
【００３３】
また、上記式（１）〜式（３）は、空気中の有害物質表面でも同様の作用を生じさせることができるため、活性種である過酸化水素Ｈ2Ｏ2または水酸基ラジカル（・ＯＨ）が、有害物質を酸化若しくは分解することにより、ホルムアルデヒドやアンモニアなどの化学物質を、二酸化炭素や、水、窒素などの無害な物質に変換することができる。
【００３４】
この他、正イオンと負イオンには、コクサッキーウィルス、ポリオウィルス、などのウィルス類も不活化する働きがあり、これらウィルスの混入による汚染が防止できる。また、正イオンと負イオンには、臭いの元となる分子を分解する働きがあることも確かめられており、室内の脱臭にも利用することができる。
【００３５】
上述した空気清浄機１では、図４または図７等に示すように、吹出し口として、第１吹出し口１４Ａと第２吹出し口１４Ｂの２つの吹出し口１４が設けられている。第１吹出し口１４Ａは、その仕切り壁７と対向する背面側ファンカバー１０の端板部１０ａの側に配設され、第２吹出し口１４Ｂは、イオン発生器２２が取付けられた仕切り壁７の部分の直上に配設されている。そのため、イオン発生器２２によって発生したイオンを含んだ空気は主に第２吹出し口１４Ｂに導かれて、第２吹出し口１４Ｂからはイオン濃度の相対的に高い空気が吹出され、第１吹出し口１４Ａからはイオン濃度の相対的に低い空気が吹出されることになる。
【００３６】
その第１吹出し口１４Ａにおけるシロッコファン１８の回転軸１８ａと直交する方向の開口長さＷは、シロッコファン１８の直径Ｄよりも大きく設定されている。このとき、シロッコファン１８から遠心力によって吹出し口１４に向かって送り出される空気は、略円弧状の第１側板部１０ｂから接線方向に延在する第２側板部１０ｃに沿って流れようとするところ、その第２側板部１０ｃに設けられた偏向部１１によって第３側板部１０ｄの側へ向かう空気の流れの成分が生じることになる。
【００３７】
これにより、第１吹出し口１４Ａにおける第２側板部１０ｃの側の空気の吹出し量が第３側板部１０ｄの側の空気の吹出し量よりも多くなるのが抑制されて、図１０に示すように、第１吹出し口１４Ａの開口長さＷにわたってより均一に空気が吹出される。こうして、イオン濃度の相対的に高い空気４０の両側方と後方（背面側）をイオン濃度の相対的に低い空気４１がほぼ均一に取囲むようにして、吹出し口１４から空気４０，４１の吹出しが行なわれることになる。
【００３８】
イオン濃度の低い空気がイオン濃度の高い空気を取囲むように空気が吹出されることによって、たとえば図１１に示すように、イオン濃度の高い空気４０と部屋５１の壁５２や天井５３との間にイオン濃度の低い空気４１を介在させることができて、室内に吹出されたイオンが直ちに壁５２等に付着してイオンの殺菌効果等が低減するのを抑制することができる。すなわち、イオン濃度の低い空気４１がエアーカーテンとして機能し、イオンを含んだ空気４０を壁５２等に直接当てることなく室内の隅々にまでより均一に到達させて、イオンによる殺菌や除菌等を効果的に行なうことができる。
【００３９】
なお、図１２に示すように、第２吹出し口１４Ｂでは、ルーバとして固定式のルーバ１６Ｂ，１６Ｃを採用しているが、この他に、たとえば図１３に示すように、吹出し角度を変えることができるルーバ１６Ｄを配設するようにしてもよい。これにより、イオン濃度の高い空気の吹出し方向の自由度が高められて、その結果、部屋の形状や大きさに応じた空気の吹き出しを行なうことができて、より効果的な空気の浄化を行なうことができる。
【００４０】
上述した空気清浄機では、据え置き型の空気清浄機を例に挙げて説明したが、この他に、たとえば壁掛け式の空気清浄機やビルトインタイプの空気清浄機、車載用の空気清浄機、さらには、空気調和機、あるいは除湿機等へも適用することが可能である。
【００４１】
今回開示された実施の形態は例示であって、これに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００４２】
【図１】本発明の実施の形態に係る空気清浄機を前面側から見た斜視図である。
【図２】同実施の形態において、図１に示す空気清浄機を背面側から見た斜視図である。
【図３】同実施の形態において、図１に示す空気清浄機の上面図である。
【図４】同実施の形態において、図１に示す空気清浄機の縦断面図である。
【図５】同実施の形態において、図１に示す空気清浄機の横断面図である。
【図６】同実施の形態において、図１に示す空気清浄機の送風通路を含む背面側の構造を示す部分破断背面図である。
【図７】同実施の形態において、図１に示す空気清浄機における送風通路の構造を示す分解斜視図である。
【図８】同実施の形態において、図１に示す空気清浄機におけるイオン発生器の取付け部分とその近傍を示す部分斜視図である。
【図９】同実施の形態において、図１に示す空気清浄機に使用されるイオン発生器を示す斜視図である。
【図１０】同実施の形態において、図１に示す空気清浄機の吹出し口から空気が吹き出る様子を示す部分斜視図である。
【図１１】同実施の形態において、図１に示す空気清浄機から吹出された空気の室内における流れを示す部分側面図である。
【図１２】同実施の形態において、図１に示す空気清浄機における吹出し口の構造を示す部分拡大断面図である。
【図１３】同実施の形態において、図１に示す空気清浄機における他の吹出し口の構造を示す部分拡大断面図である。
【符号の説明】
【００４３】
１  空気清浄機、２  本体ケーシング、３  脚部、４  把手部、５  上面パネル部、６  凹部、７  仕切り壁、８  連通孔、１０  背面側ファンカバー、１０ａ  端板部、１０ｂ  第１側板部、１０ｃ  第２側板部、１０ｄ  第３側板部、１１  偏向部、１３  送風通路、１４Ａ，１４Ｂ  吹出し口、１６Ａ，１６Ｂ，１６Ｃ，１６Ｄ  ルーバ、１８  シロッコファン、１８ａ  回転軸、２０  モータ、２２  イオン発生器、２２ａ，２２ｂ  電極、２３  押え具、２３ａ  開口部、２３ｂ  傾斜部、２４  前面パネル、２６  側部、２８  フィルタ、３０  埃センサ、４０，４１  空気、５１  室内、５２  壁、５３  天井、Ｓ１  前方空間、Ｓ２  後方空間。
【図１】
2007021100.tif 000003
【図２】
2007021100.tif 000004
【図３】
2007021100.tif 000005
【図４】
2007021100.tif 000006
【図５】
2007021100.tif 000007
【図６】
2007021100.tif 000008
【図７】
2007021100.tif 000009
【図８】
2007021100.tif 000010
【図９】
2007021100.tif 000011
【図１０】
2007021100.tif 000012
【図１１】
2007021100.tif 000013
【図１２】
2007021100.tif 000014
【図１３】
2007021100.tif 000015